(57)【要約】【課題】本発明は、被写体にテカリや影を生じさせることなく、好適なバウンス撮影を行うことができるストロボ装置および撮像装置を得る。【解決手段】本発明のストロボ装置は、測定した反射体までの測距値、被写体までの測距値、測定した発光部１０の照射角度、及び予め設定された発光部１０の配光特性に基づいて、バウンス撮影する際の発光部１０の照射角度を算出するとともに、算出された照射角度に基づいて、被写体に対する照射光量を算出し、算出された発光部１０の照射角度および算出された照射光量に応じて遮光板１２の進出長さを算出し、遮光板１２の進出長さを調整する。【選択図】図２
2015060082.tif 000002
【特許請求の範囲】
【請求項１】
撮像装置に連結されるストロボ本体部と、
外部に照射光を照射するための光源、および、光源からの光を外部に向けて透過させる照射面を有する発光部であって、ストロボ本体部に回転可能に連結される発光部と、
被写体までの距離を測定する第１の測距部、および、前記発光部からの照射光を前記被写体に反射するための反射体までの距離を測定する第２の測距部を有する測距手段と、
前記被写体と前記光源とを結ぶ直線に対する前記光源の光軸の照射角度を測定する照射角度測定手段と、
前記発光部の光源の光軸方向と平行又は略平行に移動可能な遮光板であって、照射面の前方に出退可能となるように、前記発光部におけるストロボ本体部に対する傾動方向の下部に収容される遮光板と、
前記照射面の前方側で出退させるべく、前記遮光板を往復移動させる遮光板移動手段と、
異なるバウンス条件を基に予め設定された発光部の配光特性が記憶された設定基準記憶手段とを備え、
第１の測距部および第２の測距部の測定結果に基づいて、設定基準記憶手段から対応する配光特性を読み出し、この配光特性に応じて遮光板を進出させるようにしたことを特徴とするストロボ装置。
【請求項２】
第１の測距部および第２の測距部の測定結果、照射角度測定手段により測定した発光部の照射角度、および予め設定された発光部の配光特性に基づいて、バウンス撮影する際の発光部の照射角度を算出し、算出された照射角度に基づいて、被写体に対する照射光量を算出し、前記遮光板移動手段を駆動する制御手段を備えたことを特徴とする請求項１に記載のストロボ装置。
【請求項３】
前記発光部の照射角度を、照射角度測定位置からバウンス撮影位置に調整する照射角度調整手段をさらに備え、
前記制御手段は、算出された発光部の照射角度および算出された照射光量に応じて、発光部の照射角度をバウンス撮影位置に調整するようにしたことを特徴とする請求項１又は請求項２に記載のストロボ装置。
【請求項４】
前記発光部の前記照射角度は撮影者の操作により任意の角度に設定できることを特徴とした，請求項１から請求項３に記載のストロボ装置。
【請求項５】
前記遮光板の進出長さは撮影者の操作により任意の進出長さに設定できることを特徴とした，請求項１から請求項４に記載のストロボ装置。
【請求項６】
前記発光部の光源を光軸方向に往復移動させる光源移動手段をさらに備え、
前記制御手段は、前記被写体までの測距値、調整後の前記発光部の照射角度、および前記遮光板の進出長さに基づいて、前記光源を移動させることを特徴とする請求項１乃至請求項５のいずれか１項に記載のストロボ装置。
【請求項７】
前記第１の測距部の測定値および前記第２の測距部の測定値、バウンス撮影する際の前記発光部の照射角度、前記遮光板の進出長さ、前記光源の移動位置のうち、少なくとも１つが表示される表示手段を備えたことを特徴とする請求項１乃至請求項６のいずれか１項に記載のストロボ装置。
【請求項８】
前記請求項１乃至請求項７のいずれか１項に記載のストロボ装置を備えたことを特徴とする撮像装置。
【請求項９】
前記遮光板の進出長さに適した、シャッタスピードおよび絞り値が設定できるように構成されることを特徴とする請求項8に記載の撮像装置。
【発明の詳細な説明】
【技術分野】
【０００１】
本発明は、発光部から出射される光の照射範囲を制御するように構成したストロボ装置及びストロボ装置を備えた撮像装置に関する。
【背景技術】
【０００２】
従来から、より自然な画像を得るために、ストロボ装置の発光部から光を天井や壁などの反射体に照射して拡散させ、被写体を間接的に照明して撮影するバウンス撮影が行われている。
【０００３】
バウンス撮影に使用されるストロボ装置には、種々のタイプのものがあるが、何れも、撮像装置に連結されるストロボ本体部と、閃光放電管等の光源及び光源からの光を外部に向けて透過させる照射面を有する発光部であって、ストロボ装置に回転可能に連結された発光太を備える。これにより、この種のストロボ装置は、撮像装置に連結されたストロボ本体部に対する発光部の回転角度を変更することで、発光部の照射面の向き（光の照射方向）を変更できるようになっている。
【０００４】
そして、この種のストロボ装置には、発光部の光軸に対して平行又は略平行に移動可能に設けられたキャッチシートであって、発光部の照射面の前方で出退可能なキャッチシートを備えたものがある。一般的に、キャッチシートは、発光部の内部に収容され、必要に応じて、照射面の前方に引き出される。
【０００５】
かかるストロボ装置でバウンス撮影する場合、ストロボ装置は、発光部の照射面を被写体とは正対させず、天井や壁などの反射体のある方向に向けて照射する。この際、キャッチシートが照射面の前方に引き出される。これにより、バウンス撮影時において、天井や壁で反射して被写体に照射される光と、キャッチシートで反射して被写体に照射される光とを得ることができるため、バウンス撮影（間接照明による撮影）であっても、キャッチシートで反射した光により、被写体の瞳が生き生きとした写真を得ることができる（特許文献１参照）。
【先行技術文献】
【特許文献】
【０００６】
【特許文献１】実開平６−２３４５号公報
【発明の概要】
【発明が解決しようとする課題】
【０００７】
しかしながら、特許文献１に記載されているストロボ装置において、バウンス撮影する際、光源からの照射光が被写体に強く照射して、被写体にテカリや影が生じることがあり、良好なバウンス撮影ができないという問題がある。
【０００８】
本発明は、かかる事情に鑑み、被写体にテカリや影を生じさせることなく、好適なバウンス撮影を行うことができるストロボ装置及びストロボ装置を備えた撮像装置を提供することを目的とする。
【課題を解決するための手段】
【０００９】
本発明のストロボ装置は、撮像装置に連結されるストロボ本体部と、外部に照射光を照射するための光源、および、光源からの光を外部に向けて透過させる照射面を有する発光部であって、ストロボ本体部に回転可能に連結される発光部と、被写体までの距離を測定する第１の測距部、および、前記発光部からの照射光を前記被写体に反射するための反射体までの距離を測定する第２の測距部を有する測距手段と、前記被写体と前記光源とを結ぶ直線に対する前記光源の光軸の照射角度を測定する照射角度測定手段と、前記発光部の光源の光軸方向と平行又は略平行に移動可能な遮光板であって、照射面の前方に出退可能となるように、前記発光部におけるストロボ本体部に対する傾動方向の下部に収容される遮光板と、前記照射面の前方側で出退させるべく、前記遮光板を往復移動させる遮光板移動手段と、異なるバウンス条件を基に予め設定された発光部の配光特性が記憶された設定基準記憶手段とを備え、第１の測距部および第２の測距部の測定結果に基づいて、設定基準記憶手段から対応する配光特性を読み出し、この配光特性に応じて遮光板を進出させるようにしたことを特徴とする。
【００１０】
かかる構成によれば、第１の測距部および第２の測距部の測定結果に基づいて、設定基準記憶手段から対応する配光特性を読み出し、この配光特性に応じて遮光板を進出させるようにしたので、被写体に余計な光が遮蔽され、テカリや影の発生を防止できる。
【００１１】
また、請求項２の発明は、算出された発光部の照射角度および算出された照射光量に応じて遮光板の進出長さを算出し、遮光板の進出長さを調整するようにしたので、発光部から被写体に直接照射される照射光(被写体に対する余分な光)が、進出長さが調整された遮光板によって確実に遮蔽されるようになり、被写体に対してバウンス光のみが好適な角度で照射されるようになり、テカリや影のないバウンス撮影が可能になる。
【００１２】
また、請求項２に係る発明によれば、前記発光部の照射角度を、照射角度測定位置からバウンス撮影位置に調整する照射角度調整手段をさらに備え、前記制御手段によって、算出された発光部の照射角度および算出された照射光量に応じて、発光部の照射角度をバウンス撮影位置に調整するようにしてもよい。
【００１３】
かかる構成によれば、発光部の照射角度がバウンス撮影位置に調整されることで、被写体に対する余分な光を確実に遮蔽できるようになる。
【００１４】
また、請求項３に係る発明は、前記発光部の光源を光軸方向に往復移動させる光源移動手段をさらに備え、前記制御手段は、前記被写体までの測距値、調整後の前記発光部の照射角度、および前記遮光板の進出長さに基づいて、前記光源を移動させるような構成を採用することもできる。
【００１５】
かかる構成によれば、被写体までの測距値、調整後の発光部の照射角度、および遮光板の進出長さに基づいて、発光部を移動して発光するようにしたので、バウンス撮影に適した光量を被写体に照射することができる。
【００１６】
また、請求項４に係る発明は、前記発光部の照射方向角度を撮影者の操作によって任意の進出長さに設定できることを特徴とする。
【００１７】
かかる構成によれば，撮影者が被写体への照射光量を調整できるため、より適した撮影条件を設定することが可能とともに，被写体までの測距値などに基づいて照射角度を自動的に設定しないストロボ装置に関しても、適用が可能となる。
【００１８】
また、請求項５に係る発明は、前記遮光板の進出長さを撮影者の操作によって任意の進出長さに設定できることを特徴とする。
【００１９】
かかる構成によれば，撮影者が被写体への照射光量を調整できるため、より適した撮影条件を設定することが可能となる。
【００２０】
また、請求項６に係る発明は、前記第１の測距手段の測定値および前記第２の測距手段の測定値、バウンス撮影する際の前記発光部の照射角度、前記遮光板の進出長さ、前記光源の移動位置のうち、少なくとも１つが表示される表示手段を備えるような構成を採用することもできる。
【００２１】
かかる構成によれば、遮光板を使用する場合のバウンス撮影に必要とされるデータを視認することができる。
【００２２】
また、本発明の撮像装置は、前記いずれかのストロボ装置を備えたことを特徴とする。
【００２３】
かかる構成によれば、バウンス撮影する際、発光部の照射光が被写体に直接照射する場合は、遮光板を進出させて照射光を遮蔽することで、被写体にテカリや影をなくすことができる。
【００２４】
また、請求項８に係る発明は、遮光板の進出長さに適した、シャッタスピードおよび絞り値が設定できるような構成を採用することもできる。
【００２５】
かかる構成によれば、遮光板の進出長さに適した、シャッタスピードおよび絞り値が設定されるので、バウンス撮影に適した写真撮影が行える。
【発明の効果】
【００２６】
以上のように、本発明によれば、反射体による反射光の効果が期待できなくても、十分なバウンス光を被写体に照射して、好適なバウンス撮影を行うことができる。
【図面の簡単な説明】
【００２７】
【図１】本発明の第１実施形態に係る撮像装置の構成を示すブロック図
【図２】同実施形態に係るストロボ装置の側面図
【図３】同実施形態に係るストロボ装置の上面図
【図４】同実施形態に係るストロボ装置の底面図
【図５】同実施形態に係るストロボ装置の発光部が、傾倒位置と起立位置との間で照射角度が調整されて、移動する際の説明図
【図６】同実施形態に係るストロボ装置において、キャッチシートを進出させて、バウンス撮影する状態を示す説明図
【図７】同実施形態に係るストロボ装置の使用態様を示すフロー図であり、反射体までの測距値が基準距離許容範囲外である場合の制御内容を示す図
【図８】同実施形態に係るストロボ装置の使用態様を示すフロー図であり、反射体までの測距値が基準距離許容範囲以内である場合の制御内容を示す図
【図９】同実施形態に係るストロボ装置において、遮光板を進出させて、バウンス撮影する状態を示す説明図
【発明を実施するための形態】
【００２８】
本発明の一実施形態に係る撮像装置及びストロボ装置について、図１〜図９を参酌しつつ、説明する。
【００２９】
同実施形態に係る撮像装置１は、図１に示すように、被写体に照射光を照射するストロボ装置２を装着可能に構成している。なお、図２〜図６において、被写体側をストロボ装置の前方とし、被写体の反対側をストロボ装置の後方とし、被写体の上側および下側を、ストロボ装置の上側および下側とする。
【００３０】
また、撮像装置１は、被写体を撮像する撮影機能部３と、ストロボ装置２および撮影機能部３を制御する演算部４と、被写体を撮像した画像などを表示する表示部５と、撮影条件の設定や電源を切り換えるための操作部６と、周辺機器との間で画像データなどを入出力するためのインターフェース７とを備えている。
【００３１】
ストロボ装置２は、図２〜図４に示すように、ストロボ本体部８と、発光部１０と、キャッチシート１１と、遮光板１２と、キャッチシート移動手段１３と、遮光板移動手段１４と、照射角度測定手段１５Ａと、照射角度調整手段１５Ｂと、発光部移動手段１６と、制御手段１７と、操作部１８とを備えている。
【００３２】
ストロボ本体部８は、矩形状に形成された筐体であり、その上面側に発光部１０を回転可能に連結し、その下面側に撮像装置１を連結可能に構成されている。また、ストロボ本体部８は、前面が撮像装置１の撮影方向Ｂ（撮像レンズの光軸方向）を向くように撮像装置１に連結される。
【００３３】
発光部１０は、光源としての閃光放電管１００と、該閃光放電管の光を反射して外部に照射させる反射傘１０１と、閃光放電管１００及び反射傘１０１が内部に配置された、略矩形状の筐体１０２とを備えている。
【００３４】
そして、発光部１０は、図５に示すように、制御手段１７によって、ストロボ本体部８の幅方向Ｄ（図３参照）に沿って設けられる軸９を中心にして、ストロボ本体部８に対して傾倒位置と起立位置との間を回動できるように構成されている。そうすることで、照射光の照射される照射角度Ｃが変更できるようになっている。
【００３５】
筐体１０２は、一方の面（前面）側に照射面１０３と、上部に形成されたキャッチシート１１の収納スペース１０４と、遮光板１２の収納スペース１０５とを有している。そして、閃光放電管１００の照射光が照射面１０３を通して外部へ照射されるようになっている。
【００３６】
キャッチシート１１は、閃光放電管１００の光軸方向に対して平行になるように、上述した上部の収納スペース１０４に、照射面１０３の前方に出退可能となるように収納されている。そして、キャッチシート１１は、キャッチアイ撮影する場合、および、バウンス撮影する場合において使用される。
【００３７】
遮光板１２は、閃光放電管１００の光軸方向に対して平行になるように、上述した下部の収納スペース１０５に、照射面１０３の前方に出退可能となるように収納されている。そして、遮光板１２は、発光部１０の照射面１０３を通して被写体に直接照射する照射光を遮蔽する。
【００３８】
キャッチシート移動手段１３は、図示しないモータと、該モータの回動軸に、図示しない減速機構を介して連結された複数のローラ１３０とを備えている。そして、キャッチシート１１は、複数のローラ１３０の回動によって、照射面１０３の前方側で出退するべく、往復移動するようになっている。
【００３９】
遮光板移動手段１４は、図示しないモータと、該モータの回動軸に、図示しない減速機構を介して連結された複数のローラ１４０とを備えている。そして、遮光板１２は、複数のローラ１４０の回動によって、照射面１０３の前方側で出退するべく、往復移動するようになっている。
【００４０】
照射角度測定手段１５Ａは、閃光放電管１００の中心と被写体とを結ぶ直線に対する閃光放電管１００の光軸の照射角度をセンサで測定する。
【００４１】
照射角度調整手段１５Ｂは、バウンス撮影する際の閃光放電管１００の照射角度を、照射角度測定位置と起立位置Ａとの間で調整する。
【００４２】
発光部移動手段１６は、閃光放電管１００を光軸方向に沿って往復移動する。そして、発光部移動手段１６は、バウンス撮影する場合は、閃光放電管１００を照射面１０３側に移動する。
【００４３】
制御手段１７は、測距手段としての第１の測距部１７０、および、第２の測距部１７１と、設定基準記憶部１７２と、測定・調整データ記憶部１７３と、演算処理部１７４とを備えている。
【００４４】
第１の測距部１７０は、センサであり、被写体までの距離を測定する。
【００４５】
第２の測距部１７１は、センサであり、発光部１０からの照射光を被写体に反射するための反射体までの距離を測定する。
【００４６】
設定基準記憶部１７２は、異なるバウンス条件を基に予め設定された発光部１０の配光特性が記憶されている。
【００４７】
測定・調整データ記憶部１７３は、第１の測距部１７０および第２の測距部１７１によって測定された測距値、測定された発光部１０の照射角度、角度調整された発光部１０の照射角度、移動した際の遮光板１２の進出長さが記憶される。
【００４８】
演算処理部１７４は、反射体までの測距値、被写体までの測距値、測定した発光部１０の照射角度、および予め設定された発光部１０の配光特性に基づいて、バウンス撮影する際の発光部１０の照射角度を算出するとともに、算出された照射角度に基づいて、被写体に対する照射光量を算出する。
【００４９】
そして、制御手段１７は、算出された発光部１０の照射角度および算出された照射光量に応じて、遮光板１２の進出長さを算出し、発光部１０の照射角度をバウンス撮影位置に調整するとともに、遮光板１２の進出長さを調整する。
【００５０】
なおこの遮光板移動手段１４による遮光板１２の移動量は撮影者が任意の長さを指定することが可能となっている。
【００５１】
また、制御手段１７は、撮影モードを切り替え可能に構成されている。具体的に説明すると、撮影モードには、通常撮影モードとバウンス撮影モードとがある。
【００５２】
通常撮影モードでは、光軸が水平に位置するように、照射角度調整手段１５Ｂによって、発光部１０の照射角度が調整される。すなわち、照射光が撮影方向Ｂ（被写体のある方向）に照射される。
【００５３】
バウンス撮影モードでは、照射光が天井などの反射体のある方向に照射されるように、発光部１０の傾斜角度が調整される。
【００５４】
この際、制御手段１７は、上述した照射角度測定手段１５Ａにおけるセンサの検知信号に基づいて、発光部１０の光軸が傾倒位置（通常撮影位置）にあるのか否かを判定するとともに、反射体までの距離を測定する。
【００５５】
また、制御手段１７は、発光部１０の照射角度を、傾倒位置と起立位置との間で調整するようにしているが、測距センサと、発光部１０から照射された照射光を受光する受光センサとで、被写体又は反射体までの距離を計測する測距手段に適用する場合において、発光部１０の照射角度を被写体又は反射体に向くように調整する場合もある。
【００５６】
操作部１８は、ストロボ本体部８の背面に設けられており、ユーザが所望する発光部１０の照射角度を手動操作によって設定できるように構成されている。操作部１８において入力された発光部１０の照射角度、閃光放電管１００の位置、キャッチシート１１の進出長さは、制御手段１７において演算されて、照射角度調整手段１５Ｂ、発光部移動手段１６、キャッチシート移動手段１３によって、所要の処理がなされる。
【００５７】
つぎに本実施形態に係る撮像装置１のバウンス撮影モードの動作について、図５〜図８を参酌しつつ説明する。ストロボ装置２は、初期状態として通常撮影モードが選択されている。このとき、ストロボ装置２の発光部１０は、図５の鎖線に示すように、照射方向Ｃが被写体に対向する方向（通常撮影位置）Ｂを向いているものとする。
【００５８】
この状態において、ユーザによって、通常撮影モードからバウンス撮影モードに切り替えられた場合、まず、制御手段１７は、図７に示すように、測距を行う。具体的には、第１の測距部１７０によって、反射体までの距離を測定する（Ｓ０１０）とともに、第２の測距部１７１によって、被写体までの距離を測定する（Ｓ０１１）。第１の測距部１７０および第２の測距部１７１によって測定されたデータは、Ａ／Ｄ変換部（図示せず）を通して制御手段１７の測定・調整データ記憶部１７３に記憶される（Ｓ０２）。
【００５９】
そして、制御手段１７は、測距と同時に、異なるバウンス条件を基に予め設定された閃光放電管の配光特性を設定基準記憶部１７２から読み出す（Ｓ０３）。
【００６０】
また、制御手段１７は、設定基準の読み出し、測距と同時に、被写体と閃光放電管１００とを結ぶ直線に対する閃光放電管１００の光軸の照射角度を測定する（Ｓ０４）とともに、遮光板１２の収納位置および閃光放電管１００の収納位置を検知する（Ｓ０５、Ｓ０６）。
【００６１】
つぎに、制御手段１７は、反射体までの測距値、被写体までの測距値、測定した発光部の照射角度、読み出した配光特性に基づいて、バウンス撮影する際の発光部１０の照射角度および被写体に対する照射光の光量を算出する（Ｓ０３０）。
【００６２】
つぎに制御手段１７は、被写体に対する照射光における直射光の照射範囲に被写体が含まられるか否かを判定する（Ｓ０３１）。
【００６３】
そして、被写体が直射光の照射範囲に含まれていると判定した場合、制御手段１７は、反射体までの測距値、被写体までの測距値、算出された発光部１０の照射角度、および、算出された照射光量に応じて、遮光板１２の進出長さを算出する（Ｓ０３２）。
【００６４】
つぎに、制御手段１７は、図６に示すように、発光部１０を、算出された照射角度の位置（図５の実線に示すバウンス撮影位置）に角度調整する（Ｓ０３３）とともに、遮光板１２を、算出された進出長さの位置に進出するように、長さ調整する（Ｓ０３４）。
【００６５】
つぎに、制御手段１７は、反射体までの測距値、被写体Ｘまでの測距値、調整後の発光部１０の照射角度、配光特性、キャッチシート１１の進出長さに基づいて、閃光放電管１００の移動距離を算出する（Ｓ０３５）。
【００６６】
そして、制御手段１７は、閃光放電管１００を、算出された移動距離の位置（移動しない場合もある）に移動する（Ｓ０３６）とともに、移動後、閃光放電管１００を発光させて（Ｓ０３７）、バウンス撮影する。すなわち、図６に示すように、被写体Ｘに直接照射する照射光（被写体に対する余分な光）が遮光板１２によって遮蔽されて、被写体Ｘに、反射体Ｒによって反射されたバウンス光のみが照射されるようになる。つまり、被写体Ｘにテカリや影のない好適なバウンス撮影が行われる。
【００６７】
また、被写体が直射光の照射範囲に含まれていないと判定した場合、図８に示す通常のバウンス撮影が行われる。
【００６８】
通常のバウンス撮影モードでは、前記と同様に、第１の測距部１７０によって、被写体との距離が測定される（Ｓ０１０）とともに、第２の測距部１７１によって、反射体との距離が測定される（Ｓ０１１）。その後、第１の測距部１７０および第２の測距部１７１によって測定されたデータが、制御手段１７の測定・調整データ記憶部１７３に記憶される（Ｓ０２）。
【００６９】
そして、制御手段１７は、閃光放電管１００の配光特性を設定基準記憶部１７２から読み出す（Ｓ０３）。
【００７０】
また、制御手段１７は、設定基準の読み出し、測距と同時に、現時点の発光部１０の照射角度を測定する（Ｓ０４）一方、遮光板１２の収納位置および閃光放電管１００の位置を検知する（Ｓ０５、Ｓ０６）。
【００７１】
つぎに、制御手段１７は、被写体までの測距値、反射体までの測距値、測定した発光部１０の照射角度および配光特性に基づいて、バウンス撮影する際の発光部１０の照射角度を算出する（Ｓ０３１０）。
【００７２】
そして、制御手段１７は、発光部１０の照射角度を、算出した照射角度の位置（バウンス撮影位置）に調整する（Ｓ０３１１）。
【００７３】
つぎに、被写体までの測距値、反射体までの測距値、調整後の発光部１０の照射角度および配光特性に基づいて、閃光放電管１００の移動距離を算出する（Ｓ０３１２）。
【００７４】
そして、閃光放電管１００を、算出された移動距離の位置（移動しない場合もある）に移動する（Ｓ０３５）とともに、移動後、反射体に向けて閃光放電管１００を発光させて（Ｓ０３６）、被写体に反射体によって反射光を照射させて、通常のバウンス撮影を行う。
【００７５】
このように、本実施形態に係る撮像装置１およびストロボ装置２によれば、バウンス撮影する際に、被写体にテカリや影が生じる場合、反射体までの測距値、被写体までの測距値、算出した発光部１０の照射角度、および、算出した照射光量に応じて、遮光板１２の進出長さを調整するようにしたので、被写体にテカリや影のない、好適なバウンス撮影が行われるようになる。
【００７６】
なお、本発明に係るストロボ装置及びストロボ装置を備えた撮像装置は、前記実施形態に限定されるものではなく、本発明の要旨を逸脱しない範囲内において種々変更を加え得ることは勿論である。
【００７７】
例えば、前記実施形態の場合、測距、発光部１０の照射角度の測定、設定データの読み出しについては、図７に示したフローにしたがって順次行うようにしたが、順番が入れ替わってもよく、並行して行われてもよい。要は、測距、発光部１０の照射角度の測定、設定データの読み出しが、遮光板１２の進出長さの演算が行われる前に完了していればよい。
【００７８】
また、前記実施形態の場合、発光部１０の角度調整を自動で行うようにしたが、手動で行うようにしてもよい。
【００７９】
また、前記実施形態の場合、制御手段１７によって、遮光板１２を進出させるようにしたが、第１の測距部１７０および第２の測距部１７１の測定結果に基づいて、設定基準記憶部１７２から対応する配光特性を読み出し、読み出した配光特性に応じて、遮光板１２を付勢手段（図示せず）によって進出させるようにしてもよい。
【００８０】
また、前記実施形態の場合、ストロボ本体部８の内部に制御手段１７を備えるようにしたが、撮像装置１の内部に設けてもよく、ストロボ装置２は、撮像装置１に接続されて、制御されるようにしてもよい。
【００８１】
また、前記実施形態の場合、ストロボ本体部８の背面に操作部１８を設けるようにしたが、発光部１０又は撮像装置１に設けるようにしてもよい。
【００８２】
また、前記実施形態の場合、照射角度調整手段１５Ｂによって、発光部１０を傾倒位置から所定の角度の位置に調整するようにしたが、好適な位置を制御手段１７に予め設定するようにしてもよい。
【００８３】
また、前記実施形態の場合、照射角度調整手段１５Ｂの調整範囲が傾倒位置から起立位置（最大９０度まで）ある例を説明したが、これに限定されるものではなく、最大１８０度であってもよい。
【００８４】
また、前記実施形態の場合、発光部１０の照射光が被写体に直接照射するような場合、遮光板１２を進出させた状態にして、バウンス光のみを被写体に照射するようにしたが、反射体を利用したバウンス撮影ができない場合、図９に示すように、照射光を被写体に照射させるべく、キャッチシート１１を進出するようにしてもよい。この場合、キャッチシート１１によって照射光を反射させることで、簡易的なバウンス撮影を行うことができる。
【産業上の利用可能性】
【００８５】
本発明に係る撮像装置及びストロボ装置は、発光部の下側に進退自在に収納された遮光板を有効に活用することで、バウンス撮影する装置に有効に活用できる。
【符号の説明】
【００８６】
１  撮像装置
２  ストロボ装置
８  ストロボ本体部
１０  発光部
１００  閃光放電管（光源）
１０３  照射面
１１  キャッチシート
１２  遮光板
１３  キャッチシート移動手段
１４  遮光板移動手段
１５Ａ  照射角度測定手段
１５Ｂ  照射角度調整手段
１６  発光部移動手段
１７  制御手段
１７０  第１の測距部
１７１  第２の測距部
１７２  設定基準記憶部
１７４  演算処理部
Ｒ  反射体
Ｘ  被写体
【図１】
2015060082.tif 000003
【図３】
2015060082.tif 000004
【図４】
2015060082.tif 000005
【図５】
2015060082.tif 000006
【図６】
2015060082.tif 000007
【図７】
2015060082.tif 000008
【図８】
2015060082.tif 000009
【図９】
2015060082.tif 000010
【図２】
2015060082.tif 000011